【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
メッセージングサービスによって第１端末とコンテンツの送受信を行う第２端末に実行させるためのプログラムであって、
前記第２端末を利用するユーザの認証を行うための認証情報を前記第１端末から前記第２端末の通信部によって受信することと、
前記認証情報の受信に基づいて、前記第２端末の前記メッセージングサービスに関する機能を制限することと、
前記ユーザによる前記第２端末への入力に基づき、前記機能の制限を解除するための解除情報を取得する処理を行うことと、
前記解除情報に基づき、前記メッセージングサービスに関する前記機能の制限を解除する処理を行うこととを前記第２端末に実行させる。
【請求項２】
請求項１に記載のプログラムであって、
前記メッセージングサービスに関する前記機能は、メッセージングサービスにおける送信の機能または受信の機能のうち少なくとも一方を含む。
【請求項３】
請求項１または請求項２に記載のプログラムであって、
前記メッセージングサービスに関する前記機能は、前記ユーザによる前記第２端末への操作を受け付ける機能を含む。
【請求項４】
請求項１から請求項３のいずれか一項に記載のプログラムであって、
前記解除情報は、前記第２端末のユーザのパスコード、個人情報、および生体情報のうち少なくとも一つを含む。
【請求項５】
請求項１から請求項４のいずれか一項に記載のプログラムであって、
前記認証情報を受信した後、前記コンテンツを送受信する第１通信方式とは異なる第２通信方式を用いて、前記解除情報を含むメッセージを前記第１端末から受信することを前記第２端末に実行させる。
【請求項６】
請求項１から請求項５のいずれか一項に記載のプログラムであって、
前記認証情報は、前記第１端末から前記第２端末に送金に関する情報が送信された場合に、前記第２端末に送信される。
【請求項７】
請求項６に記載のプログラムであって、
前記メッセージングサービスに関する前記機能の制限の解除に基づいて、前記送金に関する情報に基づく送金処理を行うことを前記第２端末に実行させる。
【請求項８】
メッセージングサービスによって第１端末とコンテンツの送受信を行う端末であって、
メモリに記憶されたプログラムを読み出し、前記プログラムに基づく処理を実行するプロセッサーを含み、
前記プロセッサーは、
前記端末を利用するユーザの認証を行うための認証情報を前記第１端末から前記端末の通信部によって受信することと、
前記認証情報の受信に基づいて、前記端末の前記メッセージングサービスに関する機能を制限することと、
前記ユーザによる前記端末への入力に基づき、前記機能の制限を解除するための解除情報を取得する処理を行うことと、
前記解除情報に基づき、前記メッセージングサービスに関する前記機能の制限を解除する処理を行うこととを実行する。
【請求項９】
メッセージングサービスによって第１端末とコンテンツの送受信を行う第２端末の情報処理方法であって、
前記第２端末を利用するユーザの認証を行うための認証情報を前記第１端末から前記第２端末の通信部によって受信することと、
前記認証情報の受信に基づいて、前記第２端末の前記メッセージングサービスに関する機能を制限することと、
前記ユーザによる前記第２端末への入力に基づき、前記機能の制限を解除するための解除情報を取得する処理を行うことと、
前記解除情報に基づき、前記メッセージングサービスに関する前記機能の制限を解除する処理を行うこととを含む。
【請求項１０】
メッセージングサービスによって第１端末とコンテンツの送受信を行う端末であって、
前記端末を利用するユーザの認証を行うための認証情報を前記第１端末から受信する通信部と、
前記通信部による前記認証情報の受信に基づいて、前記端末の前記メッセージングサービスに関する機能を制限し、前記ユーザによる前記端末への入力に基づき、前記機能の制限を解除するための解除情報を取得する処理を行い、前記解除情報に基づき、前記メッセージングサービスに関する前記機能の制限を解除する処理を行う制御部とを備える。
【手続補正２】
【補正対象書類名】明細書
【補正対象項目名】発明の名称
【補正方法】変更
【補正の内容】
【発明の名称】プログラム、情報処理方法、及び端末
【手続補正３】
【補正対象書類名】明細書
【補正対象項目名】０００１
【補正方法】変更
【補正の内容】
【０００１】
本発明は、プログラム、情報処理方法、及び端末に関する。
【手続補正４】
【補正対象書類名】明細書
【補正対象項目名】０００８
【補正方法】変更
【補正の内容】
【０００８】
本発明の一実施形態に係るプログラムは、メッセージングサービスによって第１端末とコンテンツの送受信を行う第２端末に実行させるためのプログラムであって、前記第２端末を利用するユーザの認証を行うための認証情報を前記第１端末から前記第２端末の通信部によって受信することと、前記認証情報の受信に基づいて、前記第２端末の前記メッセージングサービスに関する機能を制限することと、前記ユーザによる前記第２端末への入力に基づき、前記機能の制限を解除するための解除情報を取得する処理を行うことと、前記解除情報に基づき、前記メッセージングサービスに関する前記機能の制限を解除する処理を行うこととを前記第２端末に実行させる。
また、本発明の一実施形態に係る端末は、メッセージングサービスによって第１端末とコンテンツの送受信を行う端末であって、メモリに記憶されたプログラムを読み出し、前記プログラムに基づく処理を実行するプロセッサーを含み、前記プロセッサーは、前記端末を利用するユーザの認証を行うための認証情報を前記第１端末から前記端末の通信部によって受信することと、前記認証情報の受信に基づいて、前記端末の前記メッセージングサービスに関する機能を制限することと、前記ユーザによる前記端末への入力に基づき、前記機能の制限を解除するための解除情報を取得する処理を行うことと、前記解除情報に基づき、前記メッセージングサービスに関する前記機能の制限を解除する処理を行うこととを実行する。
また、本発明の一実施形態に係る情報処理方法は、メッセージングサービスによって第１端末とコンテンツの送受信を行う第２端末の情報処理方法であって、前記第２端末を利用するユーザの認証を行うための認証情報を前記第１端末から前記第２端末の通信部によって受信することと、前記認証情報の受信に基づいて、前記第２端末の前記メッセージングサービスに関する機能を制限することと、前記ユーザによる前記第２端末への入力に基づき、前記機能の制限を解除するための解除情報を取得する処理を行うことと、前記解除情報に基づき、前記メッセージングサービスに関する前記機能の制限を解除する処理を行うこととを含む。
また、本発明の一実施形態に係る端末は、メッセージングサービスによって第１端末とコンテンツの送受信を行う端末であって、前記端末を利用するユーザの認証を行うための認証情報を前記第１端末から受信する通信部と、前記通信部による前記認証情報の受信に基づいて、前記端末の前記メッセージングサービスに関する機能を制限し、前記ユーザによる前記端末への入力に基づき、前記機能の制限を解除するための解除情報を取得する処理を行い、前記解除情報に基づき、前記メッセージングサービスに関する前記機能の制限を解除する処理を行う制御部とを備える。